(57)【要約】【課題】ユーザがサービスを利用するためのアプリケーションを、セキュリティを確保しながら実装する。【解決手段】サービス提供会社は、サービス提供ユーザ管理装置５にアプリケーションの組込データと対応づけて記憶されているアクティベート情報を書込んだＩＣタグ７をユーザ宛に郵送する。端末装置３は、ＩＣタグ７から読み込んだアクティベート情報と、端末装置３の記憶部に記憶されているアクティベート情報とを照合し、照合が成功した場合に、サービス提供ユーザ管理装置５に実装要求を送信する。ＩＣ部１は、実装要求に対応してサービス提供ユーザ管理装置５から返送された実装指示に従って、ＩＣ部１の記憶部に記憶しているプログラムをインストールし、インストールしたアプリケーションに実装指示に含まれる組込データを組込む。【選択図】図１
2014123223.tif 000002
【特許請求の範囲】
【請求項１】
サービス機能の実装を許可するために照合するアクティベート情報を記憶するアクティベート情報記憶部と、
前記サービス機能を有するアプリケーションのプログラムを記憶するプログラム記憶部と、
前記アクティベート情報と前記アプリケーションに組込む組込データとに対応付けてサービス提供ユーザ管理装置に記憶されているユーザの名前及び住所を宛先として郵送された情報記録媒体から前記アクティベート情報を読込む読込部と、
前記読込部が読込んだ前記アクティベート情報と、前記アクティベート情報記憶部に記憶されているアクティベート情報とを照合する照合部と、
前記照合部による照合が成功した場合に、前記サービス提供ユーザ管理装置に実装要求を送信し、送信した前記実装要求に対応して前記サービス提供ユーザ管理装置から前記ユーザの前記組込データを含んだ実装指示を受信する実装要求部と、
前記実装要求部が受信した前記実装指示に従って、前記プログラム記憶部に記憶されている前記プログラムにより前記アプリケーションを実装し、実装した前記アプリケーションに前記実装指示に含まれる前記組込データを組込む実装制御部と、
前記実装制御部により実装され、前記組込データが組込まれた前記アプリケーションを実行するサービス機能提供部と、
を備えることを特徴とする端末装置。
【請求項２】
前記照合部は、前記ユーザが入力した認証情報を前記サービス提供ユーザ管理装置に送信し、
前記実装要求部は、前記照合部による照合が成功し、かつ、前記照合部が送信した前記認証情報に対応して認証成功が前記サービス提供ユーザ管理装置から返送された場合に前記実装要求を送信する、
ことを特徴とする請求項１に記載の端末装置。
【請求項３】
前記サービス機能提供部は、前記端末装置に着脱可能であり、前記プログラム記憶部及び前記実装制御部を備える、
ことを特徴とする請求項１または請求項２に記載の端末装置。
【請求項４】
前記情報記録媒体は、ＩＣタグであり、無線を遮断して郵送される、
ことを特徴とする請求項１から請求項３のいずれか１項に記載の端末装置。
【請求項５】
端末装置が実行するサービス機能実装方法であって、
前記端末装置は、
サービス機能の実装を許可するために照合するアクティベート情報を記憶するアクティベート情報記憶部と、
前記サービス機能を有するアプリケーションのプログラムを記憶するプログラム記憶部とを備えており、
読込部が、前記アクティベート情報と前記アプリケーションに組込む組込データとに対応付けてサービス提供ユーザ管理装置に記憶されているユーザの名前及び住所を宛先として郵送された情報記録媒体から前記アクティベート情報を読込む読込過程と、
照合部が、前記読込過程において読込んだ前記アクティベート情報と、前記アクティベート情報記憶部に記憶されているアクティベート情報とを照合する照合過程と、
前記照合過程による照合が成功した場合に、前記サービス提供ユーザ管理装置に実装要求を送信し、送信した前記実装要求に対応して前記サービス提供ユーザ管理装置から前記ユーザの前記組込データを含んだ実装指示を受信する実装要求過程と、
前記実装要求過程において受信した前記実装指示に従って、前記プログラム記憶部に記憶されている前記プログラムにより前記アプリケーションを実装し、実装した前記アプリケーションに前記実装指示に含まれる前記組込データを組込む実装制御過程と、
を有することを特徴とするサービス機能実装方法。
【発明の詳細な説明】
【技術分野】
【０００１】
本発明は、端末装置、及びサービス機能実装方法に関する。
【背景技術】
【０００２】
近年、携帯電話などのモバイル端末（端末装置）の普及に伴って、電子決済機能を搭載したモバイル端末も増加している。また、ネットワークを介して接続されるカード管理システムからモバイル決済機能を携帯電話に実装する技術がある（例えば、特許文献１参照）。
【先行技術文献】
【特許文献】
【０００３】
【特許文献１】特開２００４−２８７５９３号公報
【発明の概要】
【発明が解決しようとする課題】
【０００４】
カード媒体のクレジットカードの場合、クレジットカード会社は、ユーザ本人が契約時に申込書に記入した名前や住所宛に書留などによりクレジットカードを郵送しており、この郵送時の受取り確認によって本人確認を行っている。しかし、クレジットカードを発行せずにクレジット決済機能を端末装置に実装する場合、他の方法によってセキュリティを確保する必要がある。特許文献１の場合、モバイル端末にモバイル決済機能を実装するために、予めカード媒体のクレジットカードが発行されている必要がある。また、モバイル端末がクレジットカードから読み出したカードＩＤをカード管理システムに送信して認証を行っているため、クレジットカードを不正に入手した第三者のモバイル端末にクレジット決済機能が実装されるおそれがある。
【０００５】
本発明は、このような事情を考慮してなされたもので、ユーザがサービスを利用するための機能を、セキュリティを確保しながら実装することができる端末装置、及びサービス機能実装方法を提供する。
【課題を解決するための手段】
【０００６】
上記目的を達成するために、請求項１に記載の発明は、サービス機能の実装を許可するために照合するアクティベート情報を記憶するアクティベート情報記憶部と、前記サービス機能を有するアプリケーションのプログラムを記憶するプログラム記憶部と、前記アクティベート情報と前記アプリケーションに組込む組込データとに対応付けてサービス提供ユーザ管理装置に記憶されているユーザの名前及び住所を宛先として郵送された情報記録媒体から前記アクティベート情報を読込む読込部と、前記読込部が読込んだ前記アクティベート情報と、前記アクティベート情報記憶部に記憶されているアクティベート情報とを照合する照合部と、前記照合部による照合が成功した場合に、前記サービス提供ユーザ管理装置に実装要求を送信し、送信した前記実装要求に対応して前記サービス提供ユーザ管理装置から前記ユーザの前記組込データを含んだ実装指示を受信する実装要求部と、前記実装要求部が受信した前記実装指示に従って、前記プログラム記憶部に記憶されている前記プログラムにより前記アプリケーションを実装し、実装した前記アプリケーションに前記実装指示に含まれる前記組込データを組込む実装制御部と、前記実装制御部により実装され、前記組込データが組込まれた前記アプリケーションを実行するサービス機能提供部と、を備えることを特徴とする端末装置である。
【０００７】
また、請求項２に記載の発明は、請求項１に記載の端末装置であって、前記照合部は、前記ユーザが入力した認証情報を前記サービス提供ユーザ管理装置に送信し、前記実装要求部は、前記照合部による照合が成功し、かつ、前記照合部が送信した前記認証情報に対応して認証成功が前記サービス提供ユーザ管理装置から返送された場合に前記実装要求を送信する、ことを特徴とする。
【０００８】
また、請求項３に記載の発明は、請求項１または請求項２に記載の端末装置であって、前記サービス機能提供部は、前記端末装置に着脱可能であり、前記プログラム記憶部及び前記実装制御部を備える、ことを特徴とする。
【０００９】
また、請求項４に記載の発明は、請求項１から請求項３のいずれか１項に記載の端末装置であって、前記情報記録媒体は、ＩＣタグであり、無線を遮断して郵送される、ことを特徴とする。
【００１０】
また、上記目的を達成するために、請求項５に記載の発明は、端末装置が実行するサービス機能実装方法であって、前記端末装置は、サービス機能の実装を許可するために照合するアクティベート情報を記憶するアクティベート情報記憶部と、前記サービス機能を有するアプリケーションのプログラムを記憶するプログラム記憶部とを備えており、読込部が、前記アクティベート情報と前記アプリケーションに組込む組込データとに対応付けてサービス提供ユーザ管理装置に記憶されているユーザの名前及び住所を宛先として郵送された情報記録媒体から前記アクティベート情報を読込む読込過程と、照合部が、前記読込過程において読込んだ前記アクティベート情報と、前記アクティベート情報記憶部に記憶されているアクティベート情報とを照合する照合過程と、前記照合過程による照合が成功した場合に、前記サービス提供ユーザ管理装置に実装要求を送信し、送信した前記実装要求に対応して前記サービス提供ユーザ管理装置から前記ユーザの前記組込データを含んだ実装指示を受信する実装要求過程と、前記実装要求過程において受信した前記実装指示に従って、前記プログラム記憶部に記憶されている前記プログラムにより前記アプリケーションを実装し、実装した前記アプリケーションに前記実装指示に含まれる前記組込データを組込む実装制御過程と、を有することを特徴とするサービス機能実装方法である。
【発明の効果】
【００１１】
請求項１及び５の発明によれば、ユーザは、簡易な操作により、端末装置にサービス機能を実装することができる。また、サービス提供会社は、アクティベート情報を情報記録媒体に記録し、確実に本人が受領できる郵便を利用してユーザに送るとともに、ユーザの端末装置において情報記録媒体に記録されているアクティベート情報の照合が成功した場合に、サービス機能の実装をサービス提供ユーザ管理装置に要求している。従って、端末装置のみ、あるいは、情報記録媒体のみを入手した第三者が不正にアプリケーションを実装することは困難であり、セキュリティが確保される。
請求項２の発明によれば、郵送された情報記録媒体に記録されているアクティベート情報を用いた認証に加え、サービス提供会社が管理している認証情報を利用した認証が成功した場合に端末装置にアプリケーションを実装することができるため、セキュリティが向上する。
請求項３の発明によれば、ＳＩＭ（Subscriber Identity Module）やＩＣ（Integrated Circuit）チップが搭載された携帯電話やスマートフォンを端末装置として用いることができる。
請求項４の発明によれば、ユーザは、簡易にアクティベート情報を端末装置に読込ませることができる。
【図面の簡単な説明】
【００１２】
【図１】本発明の一実施形態によるサービス機能実装管理システムの構成図である。
【図２】同実施形態によるＩＣ部の内部構成を示すブロック図である。
【図３】同実施形態による端末装置の内部構成を示すブロック図である。
【図４】同実施形態によるサービス提供ユーザ管理装置の内部構成を示すブロック図である。
【図５】同実施形態によるサービス提供ユーザ管理装置の記憶部に記憶されるユーザ管理情報の例を示す図である。
【図６】同実施形態による端末装置が表示する画面の遷移を示す図である。
【図７】同実施形態による端末装置の処理フローを示す図である。
【発明を実施するための形態】
【００１３】
以下、図面を参照しながら本発明の実施形態を詳細に説明する。
【００１４】
図１は、本発明の一実施形態によるサービス機能実装管理システムの構成図である。同図に示すようにサービス機能実装管理システムは、ユーザの端末装置３と、サービス提供会社のサービス提供ユーザ管理装置５とを、通信網９により接続して構成される。サービス提供ユーザ管理装置５は、サービス提供会社がサービスを提供するユーザを管理する装置であり、サービス提供会社が提供するサービスを利用するための機能を有するアプリケーションをユーザの端末装置３に実装させる。本実施形態では、サービス提供会社はクレジット決済サービス提供会社であり、ユーザは、クレジット決済サービス提供会社により提供されるクレジット決済サービスを利用する場合を例に説明する。クレジット決済サービスは、カード媒体のクレジットカードを用いた場合と同様の決済を、クレジットカードに代えて端末装置３を用いて行うサービスである。端末装置３は、端末装置３に着脱可能なＩＣ（Integrated Circuit）部１を備え、サービス提供ユーザ管理装置５は、印刷装置６と接続される。
【００１５】
端末装置３は、例えば携帯電話やスマートフォンなどの可搬のコンピュータ端末であり、ＩＣ部１は、例えば、ＳＩＭ（Subscriber Identity Module）カードやＩＣチップである。クレジット決済サービス提供会社は、新規にクレジット決済サービスを申し込んだユーザのＩＣ部１にクレジット決済に関する機能（以下、「クレジット決済機能」と記載する。）を有するアプリケーション（以下、「クレジット決済アプリ」と記載する。）を実装させるために必要なアクティベート情報を、情報記録媒体であるＩＣタグ７に記録する。ＩＣタグ７は、例えば、非接触ＩＣタグである。クレジット決済サービス提供会社は、ＩＣタグ７を郵便物８によりユーザの住所宛に郵送する。
【００１６】
図２は、ＩＣ部１の内部構成を示すブロック図であり、本実施形態と関係する機能ブロックのみを抽出して示してある。ＩＣ部１は、端末装置３が備えるサービス機能提供部であり、同図に示すように、制御部１１（実装制御部）、通信部１２、記憶部１３（プログラム記憶部）、及びアプリケーション実行部１４を備えて構成される。
【００１７】
制御部１１は、ＣＰＵ（central processing unit）により実現され、各部を制御する。通信部１２は、端末装置３とデータを送受信する。記憶部１３は、各種メモリにより実現され、ユーザ特定情報や、クレジット決済アプリプログラムを記憶する。ユーザ特定情報は、クレジット決済サービスに加入しているユーザを特定する情報であり、端末装置３を利用しているユーザを特定する情報を用いることもできる。クレジット決済アプリプログラムは、クレジット決済アプリのアプリケーションプログラムである。
【００１８】
アプリケーション実行部１４は、制御部１１によってインストールされたアプリケーションプログラムを実行する。具体的には、アプリケーション実行部１４は、インストールによってメモリの実行可能領域に記録されたアプリケーションプログラムをＣＰＵが読出して実行することにより実現される。
【００１９】
制御部１１が記憶部１３に記憶されているクレジット決済アプリプログラムをインストールすることによりアプリケーション実行部１４にクレジット決済アプリを実行するクレジット決済アプリ実行部１４１が生成される。クレジット決済アプリ実行部１４１には、クレジット決済機能を実行するための組込データが組込まれる。組込データの組込みとは、クレジット決済アプリが参照可能なメモリ領域に組込データを書込むことである。本実施形態では、クレジット決済アプリに組込まれる組込データは、クレジット決済サービスのクレジット番号、契約者名、有効期限、ＰＩＮ（Personal identification number）などが含まれる発行データであり、クレジット決済アプリがクレジット決済機能を実行するために必要なデータが含まれる。クレジット番号には、例えば、ＰＡＮ（Primary Account Number）などクレジットカードのカード番号を用いることができる。
【００２０】
なお、クレジット決済アプリプログラムは、クレジット決済サービスの種類毎に異なっており、複数のクレジット決済アプリプログラムが記憶部１３に記憶され得る。また、複数のクレジット決済アプリプログラムがインストールされた場合、クレジット決済アプリ実行部１４１は、クレジット決済アプリプログラムそれぞれに応じて複数生成される。
【００２１】
図３は、端末装置３の内部構成を示すブロック図であり、本実施形態と関係する機能ブロックのみを抽出して示してある。同図に示すように、端末装置３は、制御部３１、第１通信部３２、第２通信部３３、記憶部３４（アクティベート情報記憶部）、入力部３５、表示部３６、読込部３７、及びアプリケーション実行部３８を備えて構成される。なお、端末装置３が携帯電話やスマートフォンの場合には、受話器及び送話器を制御する音声処理部（図示せず）がさらに付加される。
【００２２】
制御部３１は、ＣＰＵにより実現され、各部を制御する。第１通信部３２は、ＩＣ部１とデータを送受信する。第２通信部３３は、通信網９を介してデータを送受信する。
【００２３】
記憶部３４は、サービス利用ユーザ識別情報、ユーザ特定情報などの各種データを記憶する。サービス利用ユーザ識別情報は、クレジット決済サービスに加入しているユーザを特定する情報であり、例えば、クレジット決済サービスの申し込み時に割り当てられる識別番号などである。記憶部３４が記憶するユーザ特定情報は、ＩＣ部１の記憶部１３が記憶するユーザ特定情報と異なっていてもよい。
【００２４】
入力部３５は、例えば、タッチパネル、ボタン、キーなどであり、ユーザの操作による情報の入力を受ける。表示部３６は、ディスプレイであり、情報を表示する。読込部３７は、例えばＮＦＣ（Near Field Communication）通信等の近距離無線通信を行うＣＬＦ（Contactless Front End）であり、ＩＣタグ７に記憶されているデータを読込む。
【００２５】
アプリケーション実行部３８は、制御部３１によって端末装置３にインストールされたアプリケーションプログラムを実行する。制御部３１が端末用クレジット決済アプリのプログラムをインストールすることにより、アプリケーション実行部３８に端末側クレジット決済アプリ実行部３８１が生成される。端末側クレジット決済アプリ実行部３８１は、ＩＣ部１のクレジット決済アプリ実行部１４１と協働してクレジット決済機能を実行し、照合部３８３、及び実装要求部３８４を備える。
【００２６】
照合部３８３は、入力部３５によりクレジット決済アプリの実装指示が入力された場合に、読込部３７がＩＣタグ７から読込んだアクティベート情報と、記憶部３４に記憶されているアクティベート情報とを照合する。以下では、アクティベート情報が、記憶部３４に記憶されているサービス利用ユーザ識別情報である場合を例に説明する。また、照合部３８３は、ユーザが入力部３５に入力した認証情報をサービス提供ユーザ管理装置５に送信し、認証を要求する。
実装要求部３８４は、照合部３８３によるアクティベート情報の照合と、サービス提供ユーザ管理装置５による認証情報の照合が成功した場合、サービス提供ユーザ管理装置５にクレジット決済機能の実装要求を送信する。実装要求部３８４は、実装要求に対応してサービス提供ユーザ管理装置５から受信したクレジット決済アプリの実装指示をＩＣ部１に出力する。
【００２７】
なお、端末側クレジット決済アプリ実行部３８１は、クレジット決済サービスの種類毎に複数生成されうる。端末側クレジット決済アプリ実行部３８１は、ＩＣ部１に実装されている同じ種類のクレジット決済サービスのクレジット決済アプリ実行部１４１と協働して動作する。
【００２８】
図４は、サービス提供ユーザ管理装置５の内部構成を示すブロック図であり、本実施形態と関係する機能ブロックのみを抽出して示してある。サービス提供ユーザ管理装置５は、例えば、１台または複数台のコンピュータ装置により実現することができ、同図に示すように、記憶部５１、通信部５２、書込部５３、及び処理部５４を備えて構成される。
【００２９】
記憶部５１は、クレジット決済サービスに加入しているユーザのユーザ管理情報と発行データを記憶する。ユーザ管理情報には、サービス利用ユーザ識別情報、ユーザの名前及び住所の情報、ユーザ特定情報、認証情報、及びクレジット番号が含まれる。通信部５２は、通信網９を介してデータを送受信する。書込部５３は、アクティベート情報をＩＣタグ７に書込む。
【００３０】
処理部５４は、書込指示部５４１、印刷制御部５４２、認証部５４３、及び実装指示部５４４を備える。
書込指示部５４１は、ユーザ管理情報に設定されているサービス利用ユーザ識別情報をアクティベート情報として書込部５３に出力し、ＩＣタグ７への書込みを指示する。
印刷制御部５４２は、アクティベート情報に対応したユーザの名前及び住所をユーザ管理情報から読出し、印刷装置６に出力して印刷を指示する。
認証部５４３は、端末装置３から受信した認証情報と、ユーザ管理情報に登録されている認証情報とを照合してユーザを認証し、認証結果を返送する。
実装指示部５４４は、端末装置３からの実装要求に応じて発行データを含んだ実装指示を送信する。
【００３１】
なお、端末装置３、及びサービス提供ユーザ管理装置５は、内部にコンピュータシステムを有しており、端末装置３のアプリケーション実行部３８、及びサービス提供ユーザ管理装置５の処理部５４は、メモリ等のコンピュータ読取り可能な記録媒体に記憶されているプログラムをコンピュータシステムが読出して実行することによって実現される。ここでいうコンピュータシステムとは、ＣＰＵ及び各種メモリやＯＳ、周辺機器等のハードウェアを含むものである。また、「コンピュータシステム」は、ＷＷＷシステムを利用している場合であれば、ホームページ提供環境（あるいは表示環境）も含むものとする。また上記プログラムは、端末装置３のアプリケーション実行部３８、サービス提供ユーザ管理装置５の処理部５４の機能の一部を実現するためのものであっても良く、その機能をコンピュータシステムにすでに記録されているプログラムとの組合せで実現できるものであっても良い。
【００３２】
図５は、サービス提供ユーザ管理装置５の記憶部５１に記憶されるユーザ管理情報の例を示す図である。同図に示すように、ユーザ管理情報は、サービス利用ユーザ識別情報、ユーザ情報、ユーザ特定情報、認証情報、及びクレジット番号を含んだレコードからなる。ユーザ情報は、ユーザの名前、住所、電話番号などの情報を示す。認証情報は、例えばユーザＩＤ及びパスワードである。
【００３３】
図６は、端末装置３が表示部３６に表示する画面の遷移を示す図である。
まず、クレジット決済サービス提供会社は、クレジット決済サービスを新規に契約したユーザに、当該ユーザのサービス利用ユーザ識別情報を記録したＩＣタグ７を、未開封状態では読取れないように圧着はがき（ＯＰメール）や封筒などの郵便物８により郵送する。
【００３４】
端末装置３は、ユーザが入力部３５によりクレジット決済アプリの起動指示を入力すると、クレジット決済アプリ起動画面Ｇ１を表示部３６に表示する。ユーザが、入力部３５によりクレジット決済アプリ起動画面Ｇ１の新規登録ボタンを選択すると、端末装置３は、クレジット決済アプリを実装してよいかの実装確認画面Ｇ２を表示部３６に表示する。
【００３５】
ユーザは、入力部３５により実装確認画面Ｇ２のＯＫボタンを選択し、郵便物８を開封してＩＣタグ７を端末装置３にかざす。端末装置３は、ＩＤ照合中通知画面Ｇ３を表示部３６に表示し、ＩＣタグ７からサービス利用ユーザ識別情報を読出してユーザの正当性を確認する。照合が成功すると、端末装置３は、認証情報入力画面Ｇ４を表示部３６に表示する。ユーザが入力部３５により認証情報入力画面Ｇ４の認証情報入力フィールドにユーザＩＤ及びパスワードの認証情報を入力すると、端末装置３は、入力された認証情報をサービス提供ユーザ管理装置５に送信し、認証を要求する。
【００３６】
サービス提供ユーザ管理装置５から認証成功を受信した場合、端末装置３は認証情報確認完了画面Ｇ５を表示部３６に表示する。ユーザが、入力部３５により認証情報確認完了画面Ｇ５のＯＫボタンを選択すると、端末装置３は、新規登録中画面Ｇ６を表示部３６に表示し、実装要求をサービス提供ユーザ管理装置５に送信する。端末装置３は、実装要求に対応してサービス提供ユーザ管理装置５から返送されたクレジット決済アプリの実装指示をＩＣ部１に出力する。実装指示に基づいてＩＣ部１が正常にクレジット決済アプリを実装し、発行データを組込むと、端末装置３は、新規登録完了画面Ｇ７を表示部３６に表示する。
【００３７】
続いて、サービス機能実装管理システムの動作について説明する。
なお、ＩＣ部１は、通信部１２を介して端末装置３とデータを送受信し、端末装置３は、第１通信部３２を介してＩＣ部１と、第２通信部３３を介してサービス提供ユーザ管理装置５とデータを送受信し、サービス提供ユーザ管理装置５は通信部５２を介して端末装置３とデータを送受信するが、以下ではこの処理についての記載を省略してサービス機能実装管理システムの動作を説明する。
【００３８】
図７は、端末装置３の処理フローを示す図である。
クレジット決済サービスの申込み前、ユーザの端末装置３が内蔵するＩＣ部１の記憶部１３には、クレジット決済アプリプログラムが記憶されているが、クレジット決済アプリはインストールされておらず、アプリケーション実行部１４にはクレジット決済アプリ実行部１４１が生成されていない状態である。また、端末装置３には、端末側クレジット決済アプリはインストールされておらず、アプリケーション実行部３８には端末側クレジット決済アプリ実行部３８１が生成されていない状態である。
【００３９】
新規にクレジット決済サービスを申込む際、ユーザは、予めサービス利用ユーザ識別情報が記載されている申込書に名前や住所、クレジット決済サービスのＰＩＮ、ユーザ特定情報、認証情報などを記入する。ユーザ特定情報には、例えば、ＩＣ部１または端末装置３を特定する情報を用いることができる。あるいは、ユーザ特定情報として、クレジット決済サービスの申込みの際に、クレジット決済サービス提供会社がユーザに割り当てた識別情報、例えば、申込書のシリアル番号等を用いてもよい。記入済みの申込書は、クレジット決済サービス提供会社に送られるとともに、その申込書の写しがユーザに渡される。
【００４０】
クレジット決済サービス提供会社は、ユーザにクレジット決済サービスを提供すると決めた場合、サービス利用ユーザ識別情報、ユーザ情報、ユーザ特定情報、認証情報、及びクレジット番号を含んだレコードを、サービス提供ユーザ管理装置５の記憶部５１が記憶しているユーザ管理情報に登録する。サービス利用ユーザ識別情報、ユーザ情報、ユーザ特定情報、及び認証情報は、申込書に記載されている内容に基づいて設定される。また、クレジット番号は、クレジット決済サービス提供会社が割り当てる。さらに、クレジット決済サービス提供会社は、発行データを生成し、ユーザ特定情報と対応づけて記憶部５１に登録する。発行データには、クレジット番号や申込書に記入されたＰＩＮが含まれる。
【００４１】
サービス提供ユーザ管理装置５の書込指示部５４１は、新たに登録されたユーザ管理情報のレコードからサービス利用ユーザ識別情報を読出し、書込部５３に出力して書込みを指示する。書込部５３は、書込指示部５４１から入力されたサービス利用ユーザ識別情報をＩＣタグ７に書込む。さらに、サービス提供ユーザ管理装置５の印刷制御部５４２は、ＩＣタグ７に書込んだサービス利用ユーザ識別情報が設定されているユーザ管理情報のレコードからユーザの名前、及び住所を読出して印刷装置６へ出力し、印刷を指示する。印刷装置６は、郵便物８に、あるいは、郵便物８に貼付する宛名シールに名前と住所を印刷する。クレジット決済サービス提供会社は、ＩＣタグ７を外部から読取りできないように郵便物８に封入し、書留などで郵送する。例えば、郵便物８は、圧着はがきの見開きに無線を遮断する素材であるアルミを用い、ＩＣタグ７を挟んで閉じ合せる。ユーザは、郵送された郵便物８を受領する。
【００４２】
一方、ユーザは、クレジット決済サービスの申し込み後、端末装置３に端末側クレジット決済アプリを実装する。ユーザは、端末装置３を用いてサービス提供ユーザ管理装置５にアクセスし、申込書の写しに記載されているサービス利用ユーザ識別情報を入力部３５により入力する。端末装置３の制御部３１は、入力されたサービス利用ユーザ識別情報を記憶部３４に書き込むとともに、サービス提供ユーザ管理装置５に送信する。サービス提供ユーザ管理装置５の処理部５４は、端末装置３から受信したサービス利用ユーザ識別情報がユーザ管理情報に登録されている場合に、端末側クレジット決済アプリのプログラムを端末装置３に送信する。端末装置３の制御部３１は、サービス提供ユーザ管理装置５から送信されたプログラムをインストールする。これにより、端末装置３のアプリケーション実行部３８に端末側クレジット決済アプリ実行部３８１が生成される。
【００４３】
なお、端末装置３が備えるカメラなどの画像読取部（図示せず）により申込書に印刷されているバーコードを読取り、読取ったバーコードからサービス利用ユーザ識別情報を取得するようにしてもよい。
また、申込書にサービス利用ユーザ識別情報を記載せず、サービス提供ユーザ管理装置５は、端末側クレジット決済アプリのプログラムのダウンロードのために端末装置３からアクセスを受けたときにサービス利用ユーザ識別情報を通知し、端末装置３は通知されたサービス利用ユーザ識別情報を記憶部３４に記憶するようにしてもよい。
【００４４】
また、上記では、申込書に記入されているユーザ特定情報をサービス提供ユーザ管理装置５の記憶部５１が記憶するユーザ管理情報に登録しているが、端末側クレジット決済アプリのプログラムのダウンロードのために端末装置３がサービス提供ユーザ管理装置５にアクセスした際に、ユーザが登録した情報、あるいは、サービス提供ユーザ管理装置５が割り当てた情報をユーザ特定情報として登録してもよい。また、認証情報がユーザＩＤ及びパスワードの場合、ユーザＩＤ、またはユーザＩＤ及びパスワードの組をユーザ特定情報として用いてもよい。
また、上記では、申込書に記入されている認証情報をサービス提供ユーザ管理装置５の記憶部５１が記憶するユーザ管理情報に登録しているが、端末側クレジット決済アプリのプログラムのダウンロードのために端末装置３がサービス提供ユーザ管理装置５にアクセスした際に、ユーザが入力した認証情報を登録してもよい。
【００４５】
なお、端末装置３には予め端末側クレジット決済アプリが実装されていてもよい。ユーザは、入力部３５によりサービス利用ユーザ識別情報を入力し、記憶部３４に記憶させておく。
【００４６】
端末側クレジット決済アプリのダウンロード後、ユーザが、端末装置３の入力部３５にクレジット決済アプリの起動指示を入力すると、制御部３１は端末側クレジット決済アプリ実行部３８１を起動する。端末側クレジット決済アプリ実行部３８１は、クレジット決済アプリ起動画面Ｇ１を表示部３６に表示させる。ユーザが入力部３５により新規登録指示を入力すると、端末側クレジット決済アプリ実行部３８１は、実装確認画面Ｇ２を表示部３６に表示させる。ユーザが入力部３５によりクレジット決済アプリの実装指示を入力すると（ステップＳ１０：ＹＥＳ）、照合部３８３は、端末装置３にＩＣタグ７がかざされ、読込部３７がＩＣタグ７からのデータを読取り可能になるまで、実装確認画面Ｇ２を表示部３６に表示させる（ステップＳ２０：ＮＯ）。
【００４７】
ユーザは、実装確認画面Ｇ２が表示されると、郵便物８を開封してＩＣタグ７を端末装置３にかざす。端末装置３の読込部３７は、ＩＣタグ７からサービス利用ユーザ識別情報を読出し、照合部３８３に出力する（ステップＳ２０：ＹＥＳ）。照合部３８３は、読込部３７からサービス利用ユーザ識別情報の入力を受けると、ＩＤ照合中通知画面Ｇ３を表示部３６に表示させる。照合部３８３は、読込部３７がＩＣタグ７から読取ったサービス利用ユーザ識別情報と、記憶部３４に記憶されているサービス利用ユーザ識別情報とを照合する。照合が成功すると、照合部３８３は認証情報入力画面Ｇ４を表示部３６に表示させる（ステップＳ３０：ＹＥＳ）。
【００４８】
ユーザが入力部３５により認証情報を入力すると、実装要求部３８４は、認証情報確認完了画面Ｇ５を表示部３６に表示させるとともに、記憶部３４から読み出したユーザ特定情報と入力された認証情報とを設定した認証要求をサービス提供ユーザ管理装置５に送信する。サービス提供ユーザ管理装置５の認証部５４３は、端末装置３から受信した認証要求に設定されているユーザ特定情報により記憶部５１に記憶されているユーザ管理情報のレコードを特定し、認証情報を読み出す。認証部５４３は、ユーザ管理情報から読み出した認証情報と、受信した認証要求に設定されている認証情報とを照合して認証を行い、認証結果を端末装置３に返送する。
【００４９】
端末装置３の照合部３８３は、サービス提供ユーザ管理装置５から返送された認証結果が認証成功を示している場合、認証情報確認完了画面Ｇ５を表示部３６に表示する（ステップＳ４０：ＹＥＳ）。ユーザが入力部３５により実装処理の実行指示を入力すると、実装要求部３８４は、新規登録中画面Ｇ６を表示させる。実装要求部３８４は、ユーザ特定情報と、インストールコマンド要求、及び発行コマンド要求とを設定した実装要求をサービス提供ユーザ管理装置５に送信する（ステップＳ５０）。
【００５０】
サービス提供ユーザ管理装置５の実装指示部５４４は、端末装置３から受信した実装要求に設定されているユーザ特定情報に基づいて記憶部５１に記憶されている発行データを読出す。実装指示部５４４は、この読出した発行データを、発行データが組込まれていない未発行状態のクレジット決済アプリに組込むよう指示する発行コマンドを生成すると、実行順に、クレジット決済アプリのインストールコマンド、及び、発行コマンドを設定した実装指示を端末装置３に返送する。なお、実装指示部５４４は、実装指示に設定されるこれらのコマンドを、実行順に端末装置３に送信してもよい。
【００５１】
端末装置３の実装要求部３８４は、サービス提供ユーザ管理装置５から受信した実装指示に含まれるインストールコマンド、及び、発行コマンドを実行順にＩＣ部１に出力する。
【００５２】
ＩＣ部１の制御部１１は、インストールコマンドを実行し、記憶部１３に記憶されているクレジット決済アプリプログラムをインストールする。これにより、アプリケーション実行部１４に新たにクレジット決済アプリ実行部１４１が生成され、クレジット決済アプリのインストール状態となる。しかし、この段階では、発行データが組込まれていないため、未発行状態である。
【００５３】
続いて制御部１１は、発行コマンドを実行し、発行コマンドに設定されている発行データを未発行状態のクレジット決済アプリ実行部１４１に組込む（ステップＳ６０）。これにより、クレジット決済アプリがアクティベートされて発行状態となり、アプリケーション実行部１４は、クレジット決済機能を実行することが可能となる。
【００５４】
制御部１１は、クレジット決済アプリが正常にアクティベートされると、実装完了を端末装置３に出力する。端末装置３の実装要求部３８４は、新規登録完了画面Ｇ７を表示部３６に表示させる。
【００５５】
なお、ＩＣタグ７から読取られたサービス利用ユーザ識別情報と、記憶部３４に記憶されているサービス利用ユーザ識別情報とが不一致であると判断した場合（ステップＳ３０：ＮＯ）、あるいは、サービス提供ユーザ管理装置５の認証部５４３による認証が失敗し、認証失敗を示す認証結果を受信した場合（ステップＳ４０：ＮＯ）、照合部３８３は、表示部３６にエラーメッセージの画面を表示させる（ステップＳ７０）。
【００５６】
また、表示部３６がクレジット決済アプリ起動画面Ｇ１を表示しているときに、ユーザが入力部３５により新規登録以外の指示を入力した場合（ステップＳ１０：ＮＯ）、端末側クレジット決済アプリ実行部３８１は、指示された機能を実行する（ステップＳ８０）。
【００５７】
また、ステップＳ４０の認証情報照合を省略し、アクティベート情報の照合が成功した場合（ステップＳ３０：ＹＥＳ）、実装要求部３８４はステップＳ５０の処理を行い、実装要求をサービス提供ユーザ管理装置５に送信してもよい。
【００５８】
なお、ステップＳ４０においてユーザの認証に用いる認証情報を、クレジット決済サービスのＰＩＮとしてもよい。この場合、サービス提供ユーザ管理装置５の認証部５４３は、端末装置３から受信した認証要求に設定されているユーザ特定情報により記憶部５１に記憶されているユーザ発行データを特定する。認証部５４３は、特定した発行データに設定されているＰＩＮと、受信した認証要求に認証情報として設定されているＰＩＮとを照合して認証を行い、認証結果を端末装置３に返送する。
【００５９】
以上説明した実施形態によれば、ユーザは、サービス提供会社から郵送されたＩＣタグ７を端末装置３にかざし、認証情報を入力するという簡易な操作で、ＩＣ部１にサービス機能を実行するアプリケーションを実装することが可能となる。よって、ユーザは、煩雑な操作を行うことなく、サービス提供会社が提供するサービスを、端末装置３により利用できるようになる。また、確実に本人が受領できる郵便を利用して、サービス機能の実装に必要なアクティベート情報が記録されたＩＣタグ７をユーザに送るとともに、端末装置３がサービス提供ユーザ管理装置５にアクセスしてＩＣ部１へのサービス機能の実装を要求する際には、端末装置３が予め記憶しているユーザ特定情報を用いている。従って、端末装置３やＩＣ部１、あるいは、ＩＣタグ７のみを不正に入手した第三者が不正にアプリケーションを実装することは困難であり、セキュリティが確保される。
【符号の説明】
【００６０】
１  ＩＣ部（サービス機能提供部）
３  端末装置
５  サービス提供ユーザ管理装置
６  印刷装置
７  ＩＣタグ
８  郵便物
９  通信網
１１  制御部（実装制御部）
１２  通信部
１３  記憶部（プログラム記憶部）
１４  アプリケーション実行部
３１  制御部
３２  第１通信部
３３  第２通信部
３４  記憶部（アクティベート情報記憶部）
３５  入力部
３６  表示部
３７  読込部
３８  アプリケーション実行部
５１  記憶部
５２  通信部
５３  書込部
５４  処理部
１４１  クレジット決済アプリ実行部
３８１  端末側クレジット決済アプリ実行部
３８３  照合部
３８４  実装要求部
５４１  書込指示部
５４２  印刷制御部
５４３  認証部
５４４  実装指示部
【図１】
2014123223.tif 000003
【図２】
2014123223.tif 000004
【図３】
2014123223.tif 000005
【図４】
2014123223.tif 000006
【図５】
2014123223.tif 000007
【図６】
2014123223.tif 000008
【図７】
2014123223.tif 000009